(57)【特許請求の範囲】
【請求項１】
回転電気機械（１）を用いて、特に自動車両の、熱機関（２）を始動させる或いは再始動させるための方法であって、前記回転電気機械（１）が、駆動ユニット（３）と、前記熱機関（２）の始動又は再始動を引き起こすために前記駆動ユニット（３）及び前記熱機関（２）と協働するベルト（４）タイプ又はチェーンタイプの伝動ユニット（４）とを備え、テンショナ（６）が前記回転電気機械（１）と前記熱機関（２）との間で延びる前記伝動ユニット（４）のストランド（７）に支持されるように設けられる方法において、
第１のステップにおいて、前記回転電気機械（１）は、前記伝動ユニット（４）に張力を付与するために所定の時間にわたって前記始動方向で所定の減少されたトルクを供給し、
第２のステップにおいて、前記回転電気機械（１）は、前記熱機関（２）を急速に駆動させてその始動を引き起こすために最適な所定のトルクを供給し、
前記所定の減少されたトルクは、前記回転電気機械（１）に給電するインバータ（１２，１３）の進角を制御することによって制御されることを特徴とする方法。
【請求項２】
始動段階において、前記所定の減少されたトルクは、前記熱機関（２）の圧縮ポイントの通過のために必要な公称トルクよりも低いことを特徴とする請求項１に記載の熱機関（２）を始動させる或いは再始動させるための方法。
【請求項３】
再開始段階において、前記所定の減少されたトルクは、前記回転電気機械（１）の回転速度によって決まることを特徴とする請求項１に記載の熱機関（２）を始動させる或いは再始動させるための方法。
【請求項４】
前記所定の減少されたトルクは、前記インバータ（１２，１３）の開放角度を制御することによっても制御されることを特徴とする請求項３に記載の熱機関（２）を始動させる或いは再始動させるための方法。
【請求項５】
前記所定の減少されたトルクは、前記回転電気機械（１）の励磁電流（ＥＸＣ）を制御することによって制御されることを特徴とする請求項１から４のいずれか一項に記載の熱機関（２）を始動させる或いは再始動させるための方法。
【請求項６】
前記第１のステップがプレフローステップによって先行されることを特徴とする請求項１から５のいずれか一項に記載の熱機関（２）を始動させる或いは再始動させるための方法。
【請求項７】
請求項１から６のいずれか一項に記載の方法を実施するようになっている、特に自動車両の、熱機関（２）を始動させる或いは再始動させるための装置であって、前記装置が、
駆動ユニット（３）が設けられた回転電気機械（１）と、
前記熱機関（２）の始動又は再始動を引き起こすために前記回転電気機械（１）の前記駆動ユニット（３）及び前記熱機関（２）と協働するベルト（４）タイプ又はチェーンタイプの伝動ユニット（４）と、
前記回転電気機械（１）と前記熱機関（２）との間で延びる前記伝動ユニット（４）のストランド（７）に支持されるべきテンショナ（６）と、
前記回転電気機械（１）に給電するインバータ（１２，１３）と、
エンジントルクを制御する前記回転電気機械（１）のための制御システム（１３）と、
を備えるタイプのものである、装置において、
前記回転電気機械（１）の回転速度、
前記インバータ（１２，１３）の進角、
前記インバータ（１２，１３）の開放角度、
前記回転電気機械（１）の励磁電流（ＥＸＣ）、及び
前記回転電気機械（１）の温度、
のグループの中から少なくとも１つのパラメータを取得するための手段を更に備え、
前記制御システム（１３）は、前記少なくとも１つのパラメータに応じた所定の減少されたトルクのカートグラフィー（１７）を備え、それにより、前記エンジントルクが所定の時間にわたって前記所定の減少されたトルクに等しい場合に前記伝動ユニット（４）に張力を付与し、前記所定の減少されたトルクは、前記熱機関（２）を急速に駆動できるようにする最適なトルクよりも低いことを特徴とする装置。
【請求項８】
請求項７に記載の熱機関（２）を始動させる或いは再始動させるための装置をもたらすようになっている回転電気機械（１）のための制御システム（１３）。
【請求項９】
特に自動車両の、熱機関（２）に結合されるようになっているオルタネータ−スタータ（１）であって、請求項８に記載の一体型の制御システム（１３）を備えることを特徴とするオルタネータ−スタータ（１）。
【発明の詳細な説明】
【技術分野】
【０００１】
本発明は、特に自動車両の熱機関を始動させる或いは再始動させるための方法及び装置に関する。
【０００２】
また、本発明は、方法を実施できるとともにこの装置に含まれるオルタネータ−スタータに関する。
【背景技術】
【０００３】
省エネ及び特に都市環境における汚染の低減を考慮する結果、自動車両製造業者は、「ストップ・アンド・ゴー」として知られるシステムなどの自動停止／再始動システムを自分達のモデルに備え付けるようになる。
【０００４】
ＶＡＬＥＯ  ＥＱＵＩＰＥＭＥＮＴＳ  ＥＬＥＣＴＲＩＱＵＥＳ  ＭＯＴＥＵＲ社がそのフランス国特許出願第２８７５５４９号明細書において想起するように、ストップ・アンド・ゴーモデルにしたがった車両の機能は、熱機関に結合されてスタータモードでインバータにより給電される可逆的な電気機械又はオルタネータ−スタータによって可能にされる。
【０００５】
ストップ・アンド・ゴー機能モードにおけるオルタネータ−スタータの使用は、特定の条件下では、車両自体が停止しているときに熱機関の完全な停止を引き起こし、その後、引き続いて、例えば再始動の要求として解釈されるドライバーによる行為の結果として熱機関を再始動させることから成る。
【０００６】
典型的なストップ・アンド・ゴー状況は、赤信号での停止の状況である。車両が交通信号で停止すると、熱機関が自動的に停止され、その後、信号が緑に変わると、ドライバーがクラッチペダルを押してしまったことをシステムにより検出する結果として、熱機関がオルタネータ−スタータによって再始動される。
【０００７】
一般に、オルタネータ−スタータは、ドライバーが自分の車両を再始動又は再開したいことを示す刺激が起こると直ぐに適切なエンジントルクを生成しなければならない。
【０００８】
オルタネータ−スタータシステムにより果たされるこの自動再始動機能は、車両のドライバーにとって可能な限り明確でなければならない機能であることが分かる。
【０００９】
特に、始動コマンドとオルタネータ−スタータによる熱機関の実際の始動との間の時間は、可能な限り短くなければならない。
【００１０】
この目的のため、プレフローステップが行われ、該プレフローステップ中には、スタータに電力が供給されることなくオルタネータ−スタータのロータに電気が供給される。
【００１１】
プレフローステップの完了時、電力がスタータ及びオルタネータ−スタータに供給され、また、オルタネータ−スタータは、熱機関を始動させるために、圧縮通過ポイントを越えて熱機関を急速に駆動できるようにするのに十分大きいトルクを生成する。
【００１２】
この可逆的なオルタネータは、大抵は、熱機関の前面に埋め込まれ、この前面には、熱機関のクランクシャフトプーリが存在する。
【００１３】
第１に、熱機関が機能しているときに、オルタネータプーリを駆動させるために、また、適用できる場合には１又は複数の付属品を駆動させるために、また、第２に、再始動又は再開の段階中に可逆的なオルタネータにより供給されるトルクをクランクシャフトプーリに伝えるために、ベルトが設けられる。
【００１４】
また、一般的には、オルタネータプーリとクランクシャフトプーリとの間でベルトのストランドに支持されるようにテンショナも設けられる。
【００１５】
この形態では、プレフローステップの完了時のベルトによる実質的なエンジントルクの伝達がベルトを損傷させ得る。
【００１６】
この不都合を排除するために、出願人の会社は、国際特許出願公開第２００９／０７７６８７号明細書において、プレフローステップの持続時間を制限することを提案した。
【００１７】
しかしながら、トルクの突然の変化がユーザにより有害と見なされる音響効果をテンショナを介して生成することが分かってきた。
【００１８】
フランス国特許出願公開第２９１８１２７号明細書中において、出願人の会社は、始動の方向とは反対の方向でトルクを印加することによりベルトに張力を付与することを提案した。しかしながら、この解決策は、逆に、トルクの変化を減少させず、したがって、音響効果を排除しない。加えて、テンショナは互換性がなければならない。
【００１９】
その結果、ユーザによって有害であると知覚される音響効果を制限しつつ、短い始動時間又は再始動時間を確保する、熱機関を始動させる或いは再始動させるための方法及び装置の必要性が存在する。
【先行技術文献】
【特許文献】
【００２０】
【特許文献１】フランス国特許出願第２８７５５４９号明細書
【特許文献２】国際特許出願公開第２００９／０７７６８７号明細書
【特許文献３】フランス国特許出願公開第２９１８１２７号明細書
【発明の概要】
【発明が解決しようとする課題】
【００２１】
本発明の目的はこの必要性を満たすことであり、また、本発明の主題は、具体的には、回転電気機械を用いて特に自動車両の熱機関を始動させる或いは再始動させるための方法である。
【課題を解決するための手段】
【００２２】
この回転電気機械は、駆動ユニットを備えるとともに、この熱機関の始動又は再始動を引き起こすために駆動ユニット及び熱機関と協働するベルトタイプ又はチェーンタイプの伝動ユニットと関連付けられる。
【００２３】
テンショナが回転電気機械と熱機関との間で延びる伝動ユニットのストランドに支持されるように設けられる。
【００２４】
本発明によれば、本発明に係る方法は２つの以下のステップを含む。すなわち、
−  第１のステップにおいて、回転電気機械は、伝動ユニットに張力を付与するために所定の時間にわたって始動方向で所定の減少されたトルクを供給するが、圧縮ポイントを通過できるようにせず、及び、
−  第２のステップにおいて、回転電気機械は、熱機関を急速に駆動させるために最適な所定のトルクを供給し、及び、
所定の減少されたトルクは、回転電気機械に給電するインバータの進角を制御することによって制御される。
【００２５】
始動段階において、所定の減少されたトルクは、非常に好適には、熱機関の圧縮ポイントの通過のために必要な公称トルクよりも低い。
【００２６】
或いは、再開始段階において、所定の減少されたトルクは、好ましくは、回転電気機械の回転速度によって決まる。
【００２７】
この場合、所定の減少されたトルクは、好ましくは、インバータの開放角度を制御することによっても制御される。
【００２８】
本発明の方法によれば、回転電気機械の励磁電流を制御することによる所定の減少されたトルクの制御からも利点が得られる。
【００２９】
特定の用途では、本発明に係る方法の第１のステップに先立ってプレフローステップを行うことができ、その後、第２のステップは、このプレフローステップを考慮に入れてその利点を損なわないようになっている。
【００３０】
また、本発明は、前述した方法を実施するようになっている特に自動車両の熱機関を始動させる或いは再始動させるための装置に関する。
【００３１】
この装置は、
−  駆動ユニットを備える回転電気機械と、
−  この熱機関の始動又は再始動を引き起こすために回転電気機械の駆動ユニット及び熱機関と協働するベルトタイプ又はチェーンタイプの伝動ユニットと、
−  回転電気機械と熱機関との間で延びる伝動ユニットのストランドに支持されるべきテンショナと、
−回転電気機械に給電するインバータと、
−  エンジントルクを制御する回転電気機械のための制御システムと、
を備えるタイプのものである。
【００３２】
本発明に係る熱機関を始動させる或いは再始動させるための装置は、それが、
−  回転電気機械の回転速度、
−  インバータの進角、
−  インバータの開放角度、
−  回転電気機械の励磁電流、
−  回転電気機械の温度、
のグループの中から少なくとも１つのパラメータを取得するための手段を更に備えるという点において区別され、
制御システムは、少なくともこのパラメータに応じた所定の減少されたトルクのカートグラフィーを備え、それにより、エンジントルクが所定の時間にわたって所定の減少されたトルクに等しいときに伝動ユニットに張力を付与し、この所定の減少されたトルクは、熱機関を急速に駆動できるようにする最適なトルクよりも低い。
【００３３】
また、本発明の主題は、前述の特徴を有する熱機関を始動させる或いは再始動させるための装置をもたらすようになっている回転電気機械のための制御システムである。
【００３４】
本発明の文脈内で、特に自動車両の熱機関に結合されるようになっているオルタネータ−スタータも、非常に好適には、このタイプの一体型の制御システムを備える。
【００３５】
これらの幾つかの本質的な仕様は、従来技術と比べた本発明により与えられる利点を当業者に明らかにする。
【００３６】
本発明の詳細な仕様は、添付図面と関連する以下の説明で与えられる。これらの図面は、説明の文章を単に図示するという目的を果たすにすぎず、決して本発明の範囲の限定を成すものではないことに留意すべきである。
【図面の簡単な説明】
【００３７】
【図１】自動車両の熱機関の前面、及び、本発明に係るタイプの始動用又は再始動用の装置の機械的な配置を部分的に表す。
【図２】本発明に係るタイプの自動車両の熱機関を始動させる或いは再始動させるための装置の概略的な電気図である。
【図３ａ】始動段階における本発明に係る自動車両の熱機関を始動させる或いは再始動させるための方法及び装置の好ましい実施形態で実施される所定の減少されたトルクの、インバータの進角とオルタネータ−スタータの温度とに応じたカートグラフィーの表示である。
【図３ｂ】（１００ｒｐｍでの）再始動段階における本発明に係る自動車両の熱機関を始動させる或いは再始動させるための方法及び装置の好ましい実施形態で実施される所定の減少されたトルクの、インバータの進角とオルタネータ−スタータの温度とに応じたカートグラフィーの表示である。
【発明を実施するための形態】
【００３８】
図１に表されるように、本発明の好ましい実施形態は、熱機関２の前面に配置されるオルタネータ−スタータ１を備える車両に関する。
【００３９】
図１に明確に示されるように、オルタネータ−スタータ１には、この場合には第１のプーリ３により形成される駆動ユニットが設けられ、ベルト４により構成される伝動ユニットが、熱機関２をこの熱機関２のクランクシャフトと一体の第２のプーリ５を用いて駆動させるために、駆動ユニットと協働する。
【００４０】
ローラを備えるテンショナ６が、オルタネータ−スタータ１と熱機関２のクランクシャフトとの間で延びるベルト４のストランド７に支持される。
【００４１】
また、ベルト４は、該ベルト４の他のストランドを介して、第３のプーリ８を用いて図示しない付属品、例えばエアコン用コンプレッサを駆動させるためにも使用される。
【００４２】
それ自体が知られる態様で、オルタネータ−スタータ１は、インバータによりモータモードで給電されるとともに、エンジントルクを制御する制御システムによって制御される。
【００４３】
これらの電気要素の概略図が図２に示される。
【００４４】
概略的に表されるオルタネータ−スタータ１は、三相ステータ９と励磁を伴うロータ１０とを備える。
【００４５】
ステータ９の三相巻線は、制御システム１３により制御される電力回路１２によって車載電力網１１に接続されるバッテリによりＢ＋，Ｂ−に給電される。
【００４６】
また、制御システム１３は、ロータ１０のインダクタ内で循環する励磁電流ＥＸＣも制御する。
【００４７】
電子制御システム１３は、専用の有線接続を介して或いはＬＩＮ又はＣＡＮタイプの車載データ通信バスを介して、エンジン制御ユニット１４から熱機関２の機能パラメータ及び他のコンテクスト情報を受ける。
【００４８】
有害な振動効果を制限する目的で、熱機関２を始動させる或いは再始動させるための本発明に係る方法は、実質的に、オルタネータ−スタータ１が熱機関２を急速に駆動させるのに十分なエンジントルクを印加する前にベルト４に予張力を付与することから成る。
【００４９】
したがって、第１のステップにおいて、制御システム１３は、それがベルト４に張力を付与するために所定の減少されたトルクのみを供給するようにオルタネータ−スタータ１を制御する。
【００５０】
この目的のため、本発明に係る始動装置又は再始動装置は、ステータ９と一体の３つのホール効果センサ１５を備え、これらのホール効果センサ１５は、ロータ１０に固定される磁性ターゲット１６を用いてステータ９に対するロータ１０の角度位置決定できるようにする。
【００５１】
この角度位置にしたがって、制御システム１３は、相電流が必要とされる所定の減少されたトルクに対応する進角（機械の起電力との位相差）を有するように相電流を制御する。
【００５２】
進角に応じた所定の減少されたトルクのカートグラフィーが制御システム１３のメモリ１７に記憶される。
【００５３】
図３ａは、一般的な容積を有する熱機関２の始動中に使用されるカートグラフィーの一例の表示である。
【００５４】
この例では、インバータ１２，１３の開放角度（すなわち、相電流のデューティサイクル（度））が１３５°に設定されてしまっており、また、励磁電流ＥＸＣの強度が８Ａに設定されてしまっている。
【００５５】
この強度は、所定の減少されたトルクの印加の第１のステップに先行するプレフローステップの目標値に対応する。
【００５６】
約６０°の進角は、２０Ｎ．ｍにほぼ等しい減少されたトルクを得ることができるようにする。
【００５７】
オルタネータ−スタータ１により供給されるこの減少されたトルクは、熱機関２が第１の圧縮ポイントを通過できるようにせず、ベルト４の張力付与を可能にする。
【００５８】
カートグラフィーは、オルタネータ−スタータ１の温度を考慮に入れる。
【００５９】
しかしながら、図３ａに明確に示されるように、これは関与する機械に僅かしか影響を与えない（−２８℃に関する実線、−１０℃に関する細い点線、２５℃に関する太い点線、５０℃に関する破線、及び、１２０℃に関する一点鎖線における湾曲部）ことが分かってきた。
【００６０】
熱機関２の再始動の段階では、カートグラフィーがオルタネータ−スタータ１の回転速度を考慮に入れる。
【００６１】
図３ｂは、図３ａの場合と同じ条件、すなわち、１３５°の開放角度及び８Ａの励磁電流ＥＸＣにおける１００ｒｐｍの回転速度に関する一例である。
【００６２】
この場合、ほぼ６０°の進角は、約２０Ｎ．ｍの減少されたトルクを得ることもできるようにする。
【００６３】
本発明によれば、進角に応じた所定の減少されたトルクのカートグラフィーは、一般に、好ましくは０〜約２００ｒｐｍの範囲内のオルタネータ−スタータ１の回転速度、並びに、励磁電流ＥＸＣの強度、インバータの開放角度、及び、温度などの他のパラメータを考慮に入れる。
【００６４】
したがって、熱機関２を始動させる或いは再始動させるための本発明に係る装置は、必要に応じた数の対応するセンサ１５を備え、例えば、励磁電流ＥＸＣの強度の測定のために励磁回路にシャントを備える。
【００６５】
本発明が前述した好ましい実施形態のみに限定されないことが分かる。
【００６６】
与えられるカートグラフィーは、単に、一例として選択されたオルタネータ−スタータ１及び熱機関２の特定の特性に対応する。
【００６７】
前述の説明は、励磁を伴う三相オルタネータ−スタータ１以外の回転電気機械に当てはまる。
【００６８】
これらの電気機械の相の数は、３つよりも多くなり得るとともに、例えば六相機械の場合には６に等しくなり得る。
【００６９】
本発明に係る回転電気機械１を用いて熱機関２を始動させる或いは再始動させるための方法は、一般に、永久磁石を有する同期機械、クロウマシン、二重励磁を伴う巻線形ロータを有する機械、非同期機械、可変リラクタンスを有する機械、又は、直流電流機械にも同様に当てはまる。
【００７０】
したがって、本発明は、それどころか、以下の特許請求項により規定される範囲内にとどまる全ての想定し得る変形実施形態を組み入れる。
【図１】
0006659596.tif 000002
【図２】
0006659596.tif 000003
【図３ａ】
0006659596.tif 000004
【図３ｂ】
0006659596.tif 000005